(57)【要約】【課題】回路基板に実装された電気部品の操作を容易に行なうことができる空気調和機の室内機を提供する。【解決手段】空気吸込口４、５と空気吹出口６とを備えた前面パネル２と、空気吸込口４、５と空気吹出口６とを連通する通風路に、室内熱交換器８と室内送風機９とを収容すると共に室内熱交換器８と室内送風機９との側方部位に電気部品１４、１５、１６が実装された回路基板１０を収容する電気部品箱１１を配置し前面パネル２でカバーされるユニット本体３と、を有する空気調和機の室内機１において、電気部品箱１１は、ユニット本体３の外側を向いた面に開口１２が形成され、回路基板１０は、電気部品１４、１５、１６が実装された面を開口１２に向けて電気部品箱１１内に収容されている。【選択図】図３
2010060241.tif 000002
【特許請求の範囲】
【請求項１】
空気吸込口と空気吹出口とを備えた前面パネルと、前記空気吸込口と前記空気吹出口とを連通する通風路に、室内熱交換器と室内送風機とを収容すると共に前記室内熱交換器と前記室内送風機との側方部位に電気部品が実装された回路基板を収容する電気部品箱を配置し前記前面パネルでカバーされるユニット本体と、を有する空気調和機の室内機において、
前記電気部品箱は、前記ユニット本体の外側を向いた面に開口が形成され、
前記回路基板は、前記電気部品が実装された面を前記開口に向けて前記電気部品箱内に収容されている、
ことを特徴とする空気調和機の室内機。
【請求項２】
前記電気部品には、ディップスイッチとジャンパー線とコネクタとの少なくとも一つが含まれていることを特徴とする請求項１記載の空気調和機の室内機。
【発明の詳細な説明】
【技術分野】
【０００１】
本発明は、空気調和機の室内機に関し、特に、回路基板に実装された電気部品の操作を容易に行なえるようにした空気調和機の室内機に関する。
【背景技術】
【０００２】
空気調和機の室内機には、室内熱交換器と室内送風機と空気調和機の運転を制御する室内機用の電気部品が実装された回路基板とが設けられている。回路基板に実装された電気部品としては、ディップスイッチやジャンパー線やコネクタ等が含まれ、電気部品が実装された回路基板は、例えば、下記特許文献１に記載されているように、電気部品箱内に収容されている。
【特許文献１】特開平９−６０９１８号公報
【発明の開示】
【発明が解決しようとする課題】
【０００３】
しかしながら、特許文献１に記載された空気調和機においては、ディップスイッチの切換えや、ジャンパー線の切断や、コネクタへのセンサやモータの接続等の、電気部品の操作を行う場合には、回路基板を電気部品箱から取外さなければならず、電気部品の操作に手間がかかっている。
【０００４】
本発明はこのような課題を解決するためになされたもので、その目的は、回路基板に実装された電気部品の操作を容易に行なうことができる空気調和機を提供することである。
【課題を解決するための手段】
【０００５】
本発明の実施の形態に係る特徴は、空気吸込口と空気吹出口とを備えた前面パネルと、前記空気吸込口と前記空気吹出口とを連通する通風路に、室内熱交換器と室内送風機とを収容すると共に前記室内熱交換器と前記室内送風機との側方部位に電気部品が実装された回路基板を収容する電気部品箱を配置し前記前面パネルでカバーされるユニット本体と、を有する空気調和機の室内機において、前記電気部品箱は、前記ユニット本体の外側を向いた面に開口が形成され、前記回路基板は、前記電気部品が実装された面を前記開口に向けて前記電気部品箱内に収容されていることである。
【発明の効果】
【０００６】
本発明によれば、回路基板に実装された電気部品の操作を、回路部品を電気部品箱から取外すことなく容易に行なうことができる。
【発明を実施するための最良の形態】
【０００７】
以下、本発明の実施の形態を図面を用いて説明する。
【０００８】
本発明の実施の形態の空気調和機は、図１に示す室内機１と、この室内機１に対して冷媒パイプや電気配線を介して接続された室外機（図示せず）とにより構成されている。
【０００９】
室内機１は、前面パネル２と、この前面パネル２によりカバーされるユニット本体３とから筐体が構成されている。前面パネル２には、前面側と上面側とに空気吸込口４、５が設けられ、さらに、前面下部には、空気吹出口６と、空気調和機の運転状態を表示する表示部７とが設けられている。
【００１０】
室内機１の内部には、図２及び図３に示すように、室内熱交換器８と、室内送風機９と、後述する電気部品が実装された回路基板１０を収容する電気部品箱１１とがユニット本体３に設けられている。室内熱交換器８と室内送風機９とは、前面パネル２の空気吸込口４、５と空気吹出口６とを連通するユニット本体３の通風路に配置され、電気部品箱１１は、ユニット本体３の室内熱交換器８と室内送風機９との側方部位である室内機１の横幅方向の片側に配置されている。これらの室内熱交換器８と室内送風機９と電気部品箱１１とは、前面パネル２をユニット本体３から取外すことにより露出される。
【００１１】
電気部品箱１１の一面には開口１２が形成され、この開口１２は、ユニット本体３の外側を向いた位置に形成されている。開口１２は、ネジや固定具により電気部品箱１１に着脱可能に固定されたカバー１３により覆われている。電気部品箱１１とカバー１３とは、金属や難燃性のプラスチックスにより形成されている。
【００１２】
回路基板１０には、電気部品であるディップスイッチ１４、ジャンパー線１５、コネクタ１６が実装されている。ディップスイッチ１４のオン・オフを切換えることにより、回路基板１０の機能を変更することができる。ジャンパー線１５を必要に応じて切断することにより、回路基板１０の機能を変更することで、回路基板１０の共用化を図ることができる。コネクタ１６にセンサやモータ等を接続することにより、必要な検査等を行うことができる。
【００１３】
回路基板１０は、ディップスイッチ１４やジャンパー線１５やコネクタ１６等の電気部品が実装されている面を開口１２に向けて電気部品箱１１内に収容されている。
【００１４】
このような構成において、室内機１を室内に据付けた後、必要に応じてディップスイッチ１４の切換えや、ジャンパー線１５の切断や、コネクタ１６へのセンサの接続等の操作を行なう場合がある。
【００１５】
これらの操作を行う場合には、前面パネル２をユニット本体３から取外すことにより電気部品箱１１を露出させ、ついで、電気部品箱１１からカバー１３を取外す。
【００１６】
電気部品箱１１からカバー１３を取外すと、開口１２側を向いているディップスイッチ１４やジャンパー線１５やコネクタ１６が開口１２から見えるようになる。このため、カバー１３を取外した後、開口１２から電気部品箱１１内に手や工具を入れ、ディップスイッチ１４の切換えや、ジャンパー線１５の切断や、コネクタ１６へのセンサの接続等の操作を行なうことができる。
【００１７】
したがって、回路基板１０に実装されたディップスイッチ１４やジャンパー線１５やコネクタ１６等の操作を行う場合、回路基板１０を電気部品箱１１から取外す必要がなく、ディップスイッチ１４やジャンパー線１５やコネクタ１６等の操作を容易に行うことができる。
【図面の簡単な説明】
【００１８】
【図１】本発明の一実施の形態の空気調和機の室内機を示す斜視図である。
【図２】電気部品箱を露出させた状態を示す正面図である。
【図３】電気部品箱を露出させ、カバーを取外した状態を示す斜視図である。
【図４】電気部品箱を露出させ、カバーを取外した状態を示す側面図である。
【符号の説明】
【００１９】
１…室内機、２…前面パネル、３…ユニット本体、４、５…空気吸込口、６…空気吹出口、８…室内熱交換器、９…室内送風機、１０…回路基板、１１…電気部品箱、１２…開口、１４…ディップスイッチ（電気部品）、１５…ジャンパー線（電気部品）、１６…コネクタ（電気部品）
【図１】
2010060241.tif 000003
【図２】
2010060241.tif 000004
【図３】
2010060241.tif 000005
【図４】
2010060241.tif 000006